【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
制御信号を受け取り、前記制御信号によって決定される周波数を有する発振器信号を供給するように構成された発振器と、
前記発振器信号を受け取り、異なる位相の複数の分周された信号を生成するように構成された分周器と、
基準信号と前記複数の分周された信号の中の選択された分周された信号とを受け取り、前記発振器のための前記制御信号を生成するように構成された位相ロックループ（ＰＬＬ）と、
前記発振器信号を受け取り、第２の分周された信号を生成するように構成された第２の分周器と、ここにおいて、前記ＰＬＬは、前記分周器からの前記選択された分周された信号または前記第２の分周器からの前記第２の分周された信号に基づいて前記制御信号を生成するように構成される、
を備える装置。
【請求項２】
前記分周器によって生成される前記複数の分周された信号は、９０度、位相がずれている４つの分周された信号を備え、前記ＰＬＬは、前記４つの分周された信号の中の前記選択された分周された信号を受け取るように構成される、請求項１に記載の装置。
【請求項３】
前記分周器は、９０度、位相がずれている４つの分周された信号を供給する１／２同相−直角位相分周器を備える、請求項１に記載の装置。
【請求項４】
前記分周器は、電源をオンにされる時に複数の可能な状態のうちの１つであり、前記分周器の前記複数の可能な状態は、前記分周器が電源をオンにされる時に前記選択された分周された信号の異なる位相に関連付けられる、請求項１に記載の装置。
【請求項５】
前記複数の分周された信号のうちの少なくとも１つに基づいて生成される局所発振器（ＬＯ）信号を用いて入力無線周波数（ＲＦ）信号をダウンコンバートするように構成されたダウンコンバータ
をさらに備える、請求項１に記載の装置。
【請求項６】
前記ＰＬＬは、
前記分周器からの前記選択された分周された信号と前記第２の分周器からの前記第２の分周された信号とを受け取り、前記選択された分周された信号または前記第２の分周された信号を供給するように構成されたマルチプレクサと、
前記基準信号と前記マルチプレクサからの前記選択された分周された信号または前記第２の分周された信号とを受け取り、前記制御信号を生成するのに使用される検出器出力信号を供給するように構成された位相−周波数検出器と
を備える、請求項１に記載の装置。
【請求項７】
前記ＰＬＬは、
前記分周器からの前記選択された分周された信号と前記第２の分周器からの前記第２の分周された信号とを受け取り、前記選択された分周された信号または前記第２の分周された信号を供給するように構成されたマルチプレクサと、
前記マルチプレクサから前記選択された分周された信号または前記第２の分周された信号を受け取り、第３の分周された信号を供給するように構成された第３の分周器と、
前記基準信号と前記第３の分周された信号とを受け取り、前記制御信号を生成するのに使用される検出器出力信号を供給するように構成された位相−周波数検出器と
を備える、請求項１に記載の装置。
【請求項８】
前記分周器は、不連続局所発振器（ＬＯ）信号を生成するために選択され、前記第２の分周器は、連続ＬＯ信号を生成するために選択される、請求項１に記載の装置。
【請求項９】
制御信号によって決定される周波数を有する発振器信号を生成することと、
異なる位相の複数の分周された信号を入手するために前記発振器信号を周波数において分周することと、
基準信号と前記複数の分周された信号の中の選択された分周された信号とに基づいて前記制御信号を生成することと、
前記発振器信号に基づいて第２の分周された信号を生成することと、
前記選択された分周された信号または前記第２の分周された信号に基づいて前記制御信号を生成することと
を備える方法。
【請求項１０】
前記発振器信号を前記分周することは、９０度、位相がずれている４つの分周された信号を入手するために前記発振器信号を周波数において分周することを備え、前記選択された分周された信号は、前記４つの分周された信号のうちの１つである、請求項９に記載の方法。
【請求項１１】
前記複数の分周された信号のうちの少なくとも１つに基づいて局所発振器（ＬＯ）信号を生成することと、
前記ＬＯ信号を用いて入力無線周波数（ＲＦ）信号をダウンコンバートすることと
をさらに備える、請求項９に記載の方法。
【請求項１２】
前記選択された分周された信号または前記第２の分周された信号に基づいて前記制御信号を前記生成することは、
基準信号と前記選択された分周された信号または前記第２の分周された信号との間の位相誤差を検出することと、
前記検出された位相誤差に基づいて前記制御信号を生成することと
を備える、請求項９に記載の方法。
【請求項１３】
前記選択された分周された信号または前記第２の分周された信号に基づいて前記制御信号を前記生成することは、
第３の分周された信号を入手するために前記選択された分周された信号または前記第２の分周された信号を周波数において分周することと、
基準信号と前記第３の分周された信号との間の位相誤差を検出することと、
前記検出された位相誤差に基づいて前記制御信号を生成することと
を備える、請求項９に記載の方法。
【請求項１４】
少なくとも１つのプロセッサに、請求項９−１３のうちのいずれか一項に記載の前記方法を実行させるコード
を備える非一時的コンピュータ可読媒体
を備えるコンピュータプログラム製品。
【手続補正２】
【補正対象書類名】明細書
【補正対象項目名】００７９
【補正方法】変更
【補正の内容】
【００７９】
[0087]本開示の前の説明は、当業者が本開示を作りまたは使用することを可能にするために提供される。本開示に対する様々な変更は、当業者にたやすく明白になり、本明細書で定義される包括的な原理は、本開示の趣旨または範囲から逸脱せずに、他の変形形態に適用され得る。したがって、本開示は、本明細書で説明される例と設計とに限定されることを意図されているのではなく、本明細書で開示される原理および新規の特徴と一貫する最も広い範囲に従わなければならない。
以下に、本願出願の当初の特許請求の範囲に記載された発明を付記する。
［Ｃ１］
制御信号を受け取り、前記制御信号によって決定される周波数を有する発振器信号を供給するように構成された発振器と、
前記発振器信号を受け取り、異なる位相の複数の分周された信号を生成するように構成された分周器と、
基準信号と前記複数の分周された信号の中の選択された分周された信号とを受け取り、前記発振器のための前記制御信号を生成するように構成された位相ロックループ（ＰＬＬ）と
を備える装置。
［Ｃ２］
前記分周器によって生成される前記複数の分周された信号は、９０度、位相がずれている４つの分周された信号を備え、前記ＰＬＬは、前記４つの分周された信号の中の前記選択された分周された信号を受け取るように構成される、Ｃ１に記載の装置。
［Ｃ３］
前記分周器は、９０度、位相がずれている４つの分周された信号を供給する１／２同相−直角位相分周器を備える、Ｃ１に記載の装置。
［Ｃ４］
前記分周器は、電源をオンにされる時に複数の可能な状態のうちの１つであり、前記分周器の前記複数の可能な状態は、前記分周器が電源をオンにされる時に前記選択された分周された信号の異なる位相に関連付けられる、Ｃ１に記載の装置。
［Ｃ５］
前記複数の分周された信号のうちの少なくとも１つに基づいて生成される局所発振器（ＬＯ）信号を用いて入力無線周波数（ＲＦ）信号をダウンコンバートするように構成されたダウンコンバータ
をさらに備える、Ｃ１に記載の装置。
［Ｃ６］
前記発振器信号を受け取り、第２の分周された信号を生成するように構成された第２の分周器、ここにおいて、前記ＰＬＬは、前記分周器からの前記選択された分周された信号または前記第２の分周器からの前記第２の分周された信号に基づいて前記制御信号を生成するように構成される、
をさらに備える、Ｃ１に記載の装置。
［Ｃ７］
前記ＰＬＬは、
前記分周器からの前記選択された分周された信号と前記第２の分周器からの前記第２の分周された信号とを受け取り、前記選択された分周された信号または前記第２の分周された信号を供給するように構成されたマルチプレクサと、
前記基準信号と前記マルチプレクサからの前記選択された分周された信号または前記第２の分周された信号とを受け取り、前記制御信号を生成するのに使用される検出器出力信号を供給するように構成された位相−周波数検出器と
を備える、Ｃ６に記載の装置。
［Ｃ８］
前記ＰＬＬは、
前記分周器からの前記選択された分周された信号と前記第２の分周器からの前記第２の分周された信号とを受け取り、前記選択された分周された信号または前記第２の分周された信号を供給するように構成されたマルチプレクサと、
前記マルチプレクサから前記選択された分周された信号または前記第２の分周された信号を受け取り、第３の分周された信号を供給するように構成された第３の分周器と、
前記基準信号と前記第３の分周された信号とを受け取り、前記制御信号を生成するのに使用される検出器出力信号を供給するように構成された位相−周波数検出器と
を備える、Ｃ６に記載の装置。
［Ｃ９］
前記分周器は、不連続局所発振器（ＬＯ）信号を生成するために選択され、前記第２の分周器は、連続ＬＯ信号を生成するために選択される、Ｃ６に記載の装置。
［Ｃ１０］
前記分周器は、ダウンリンク受信のためのタイムインターバルの前に電源をオンにされ、アップリンク送信のためのタイムインターバルの少なくとも一部の間に電源をオフにされる、Ｃ１に記載の装置。
［Ｃ１１］
制御信号によって決定される周波数を有する発振器信号を生成することと、
異なる位相の複数の分周された信号を入手するために前記発振器信号を周波数において分周することと、
基準信号と前記複数の分周された信号の中の選択された分周された信号とに基づいて前記制御信号を生成することと
を備える方法。
［Ｃ１２］
前記発振器信号を前記分周することは、９０度、位相がずれている４つの分周された信号を入手するために前記発振器信号を周波数において分周することを備え、前記選択された分周された信号は、前記４つの分周された信号のうちの１つである、Ｃ１１に記載の方法。
［Ｃ１３］
前記複数の分周された信号のうちの少なくとも１つに基づいて局所発振器（ＬＯ）信号を生成することと、
前記ＬＯ信号を用いて入力無線周波数（ＲＦ）信号をダウンコンバートすることと
をさらに備える、Ｃ１１に記載の方法。
［Ｃ１４］
前記発振器信号に基づいて第２の分周された信号を生成することと、
前記選択された分周された信号または前記第２の分周された信号に基づいて前記制御信号を生成することと
をさらに備える、Ｃ１１に記載の方法。
［Ｃ１５］
前記選択された分周された信号または前記第２の分周された信号に基づいて前記制御信号を前記生成することは、
基準信号と前記選択された分周された信号または前記第２の分周された信号との間の位相誤差を検出することと、
前記検出された位相誤差に基づいて前記制御信号を生成することと
を備える、Ｃ１４に記載の方法。
［Ｃ１６］
前記選択された分周された信号または前記第２の分周された信号に基づいて前記制御信号を前記生成することは、
第３の分周された信号を入手するために前記選択された分周された信号または前記第２の分周された信号を周波数において分周することと、
基準信号と前記第３の分周された信号との間の位相誤差を検出することと、
前記検出された位相誤差に基づいて前記制御信号を生成することと
を備える、Ｃ１４に記載の方法。
［Ｃ１７］
分周器を用いて前記複数の分周された信号を生成することと、
ダウンリンク受信のためのタイムインターバルの前に前記分周器の電源をオンにすることと、
アップリンク送信のためのタイムインターバルの少なくとも一部の間に前記分周器の電源をオフにすることと
をさらに備える、Ｃ１１に記載の方法。
［Ｃ１８］
制御信号によって決定される周波数を有する発振器信号を生成するための手段と、
異なる位相の複数の分周された信号を入手するために前記発振器信号を周波数において分周するための手段と、
基準信号と前記複数の分周された信号の中の選択された分周された信号とに基づいて前記制御信号を生成するための手段と
を備える装置。
［Ｃ１９］
前記発振器信号を分周するための前記手段は、９０度、位相がずれている４つの分周された信号を入手するために前記発振器信号を周波数において分周するための手段を備え、前記選択された分周された信号は、前記４つの分周された信号のうちの１つである、Ｃ１８に記載の装置。
［Ｃ２０］
前記複数の分周された信号のうちの少なくとも１つに基づいて局所発振器（ＬＯ）信号を生成するための手段と、
前記ＬＯ信号を用いて入力無線周波数（ＲＦ）信号をダウンコンバートするための手段と
をさらに備える、Ｃ１８に記載の装置。
［Ｃ２１］
前記発振器信号に基づいて第２の分周された信号を生成するための手段と、
前記選択された分周された信号または前記第２の分周された信号に基づいて前記制御信号を生成するための手段と
をさらに備える、Ｃ１８に記載の装置。
［Ｃ２２］
前記選択された分周された信号または前記第２の分周された信号に基づいて前記制御信号の生成するための前記手段は、
基準信号と前記選択された分周された信号または前記第２の分周された信号との間の位相誤差を検出するための手段と、
前記検出された位相誤差に基づいて前記制御信号を生成するための手段と
を備える、Ｃ２１に記載の装置。
［Ｃ２３］
前記選択された分周された信号または前記第２の分周された信号に基づいて前記制御信号を生成するための前記手段は、
第３の分周された信号を入手するために前記選択された分周された信号または前記第２の分周された信号を周波数において分周するための手段と、
基準信号と前記第３の分周された信号との間の位相誤差を検出するための手段と、
前記検出された位相誤差に基づいて前記制御信号を生成するための手段と
を備える、Ｃ２１に記載の装置。
［Ｃ２４］
ダウンリンク受信のためのタイムインターバルの前に前記発振器信号を分周するための前記手段の電源をオンにするための手段と、
アップリンク送信のためのタイムインターバルの少なくとも一部の間に前記発振器信号を分周するための前記手段の電源をオフにするための手段と
をさらに備える、Ｃ１８に記載の装置。
［Ｃ２５］
少なくとも１つのプロセッサに、制御信号によって決定される周波数を有する発振器信号の生成を指示させるコードと、
前記少なくとも１つのプロセッサに、前記発振器信号に基づく異なる位相の複数の分周された信号の生成を指示させるコードと、
前記少なくとも１つのプロセッサに、基準信号と前記複数の分周された信号の中の選択された分周された信号とに基づく前記制御信号の生成を指示させるコードと
を備える非一時的コンピュータ可読媒体
を備えるコンピュータプログラム製品。